(57)【要約】【課題】  消費電力の低減が可能な携帯型再生装置を提供する。【解決手段】  再生モードに設定された際、マイクロフォン８は外部環境の音声を基に音声信号を出力する。アンプ５２はマイクロフォン８からの入力される音声信号を増幅する。増幅された音声信号を基に環境音レベル判定部５４で外部環境の音量が検知され、音量レベルデータがＳＤＲＡＭ４５に記憶される。Ａ／Ｄコンバータ５３はアナログな音声信号をデジタルな音声データに変換し、音声データは動画データとともに記録メディア５に記録される。比較判定部５４ｂで音量レベルデータの値が閾値以上と判定された場合には、ミュート信号が環境音レベル判定部５４から出力され、スピーカ１７の音声出力が禁止される。音量レベルデータの値が閾値未満の場合には、音量レベルの合わせてスピーカ１７から音声が出力される。【選択図】        図２
2005354202.tif 000002
【特許請求の範囲】
【請求項１】
映像再生用の表示パネルと音声再生用のスピーカとを内蔵し、映像とともに音声の再生が可能な携帯型再生装置において、
映像及び音声の再生時にマイクが受ける環境音の音量レベルを測定し、測定された音量レベルが閾値となる音量以上である場合にミュート信号を出力する環境音レベル判定手段と、
この環境音レベル判定手段からミュート信号が出力されることに応答し、前記スピーカの駆動を禁止する音声再生制御手段とを備えたことを特徴とする携帯型再生装置。
【請求項２】
前記環境音レベル判定手段は環境音の音量レベルが前記閾値未満であるときにはその音量レベルに対応した音量制御信号を出力し、前記音声再生制御手段はこの音量制御信号に応じた音量となるように、スピーカを駆動して音声の再生を行うことを特徴とする請求項１に記載の携帯型再生装置。
【請求項３】
前記環境音レベル判定手段は、前記マイクから出力される音声信号を基にして一定時間内で平均された音量レベルを測定し、測定された音量レベルを前記閾値と比較して音量レベルが閾値以上であるか否かを判定することを特徴とする請求項１または２に記載の携帯型再生装置。
【請求項４】
前記マイクが外部から受ける音声を映像とともに記憶するデジタルビデオカメラであることを特徴とする請求項１ないし３のいずれか１つに記載の携帯型再生装置。
【発明の詳細な説明】
【技術分野】
【０００１】
本発明は、映像に合わせて外部に音声を出力する携帯型再生装置に関するものである。
【背景技術】
【０００２】
現在、画像とともに音声を再生する携帯型再生装置が普及している。携帯型再生装置にはスピーカが備えられており、スピーカは音声データに基づいて駆動して外部に音声を出力する。例えば、デジタルビデオカメラなどの携帯型再生装置では、ＣＣＤイメージセンサから出力される画像信号を処理して動画データを形成するとともにマイクから出力される音声信号を基にして音声データを形成し、動画データと音声データとを１つのファイルにまとめて記録メディアに記録しており、記録メディアに記録された動画データを基に動画を再生する場合には、音声データを基にしてスピーカから音声を出力していた。このように画像とともに音声を再生することで携帯型再生装置の利便性を高めていた。
【０００３】
携帯型再生装置にはスピーカが出力する音声の音量を調節するための調節手段が設けられており、調節手段はユーザの操作に応じて動作するものや、外部環境の音量に応じて自動的に調節されるものなどがある。特許文献１には外部環境の音量を検知する検知手段と、検知手段によって検知された音量に応じてスピーカが出力する音声の音量を調節する調節手段とを有する音声出力装置が示されている。
【０００４】
【特許文献１】特開２００２−３０５４２０号公報
【発明の開示】
【発明が解決しようとする課題】
【０００５】
しかしながら、内蔵されたバッテリーを電源として作動する携帯型再生装置に、外部環境の音量を検知する検知手段と、検知手段によって検知された外部環境の音量に応じてスピーカの出力する音声の音量を調節する調節手段とを設けた場合、例えば、外部環境の音量が非常に大きな場合には、この音量に合わせてスピーカの出力する音量が大きくなってしまい、このように外部環境の音量にあわせてスピーカの音量が上がってしまうと、音声の出力に伴なう消費電力が大きくなる。外部環境の音量に合わせてスピーカの音量が大きな状態が持続してしまうと、電力容量に限度のあるバッテリーによって動作する携帯型再生装置では、バッテリーを短時間で消耗してしまう可能性が高くなり、使用できる時間が短縮して利便性が損なわれてしまう場合があった。
【０００６】
本発明は、上記の事情に鑑みてなされたものであり、その目的は、外部環境の音量が所定のレベル以上の場合に音声の出力を停止することで消費電力の低減が可能な携帯型再生装置を提供することにある。
【課題を解決するための手段】
【０００７】
上記の目的を達成するために、本発明の携帯型再生装置では、映像再生用の表示パネルと音声再生用のスピーカとを内蔵し、映像とともに音声の再生が可能であり、映像及び音声の再生時にマイクが受ける環境音の音量レベルを測定し、測定された音量レベルが閾値となる音量以上である場合にミュート信号を出力する環境音レベル判定手段と、この環境音レベル判定手段からミュート信号が出力されることに応答し、前記スピーカの駆動を禁止する音声再生制御手段とを備えたことを特徴とする。
【０００８】
また、環境音レベル判定手段は環境音の音量レベルが前記閾値未満であるときにはその音量レベルに対応した音量制御信号を出力し、音声再生制御手段はこの音量制御信号に応じた音量となるように、スピーカを駆動して音声の再生を行うことを特徴とする。
【０００９】
また、環境音レベル判定手段は、マイクから出力される音声信号を基にして一定時間内で平均された音量レベルを測定し、この測定された音量レベルを前記閾値と比較して閾値以上であるか否かを判定することを特徴とする。
【００１０】
また、マイクが外部から受ける音声を映像とともに記憶するデジタルビデオカメラであることを特徴とする。
【発明の効果】
【００１１】
本発明の映像音声再生装置によれば、映像及び音声の再生時にマイクが受ける環境音の音量レベルを測定し、測定された音量レベルが閾値となる音量以上である場合にミュート信号を出力する環境音レベル判定手段と、この環境音レベル判定手段からミュート信号が出力されることに応答し、前記スピーカの駆動を禁止する音声再生制御手段とを備えたことにより、環境音の音量レベルが予め定められた閾値以上である場合には、環境音レベル判定手段からミュート信号が出力され、音声再生制御手段はミュート信号を受けて音声の再生を禁止するため、環境音の音量レベルが閾値以上の場合には音声の出力を停止して消費電力の低減が可能な携帯型再生装置を提供することができる。
【００１２】
また、環境音レベル判定手段は環境音の音量レベルが前記閾値未満であるときにはその音量レベルに対応した音量制御信号を出力し、音声再生制御手段はこの音量制御信号に応じた音量となるように、スピーカを駆動させて音声の再生を行うことにより、環境音の音量レベルが閾値未満の場合には音声再生制御手段は環境音レベル判定手段から入力される音量制御信号に応じてスピーカを駆動させるため、外部の環境の中でもスピーカが出力する音声を快適に聴取することができ、より利便性の高い携帯型生装置を提供することができる。
【００１３】
また、環境音レベル判定手段は、マイクから出力される音声信号を基にして一定時間内で平均された音量レベルを測定し、この測定された音量レベルを前記閾値と比較して閾値以上であるか否かを判定することにより、瞬間的に発生した音声の音量レベルが閾値を超えた場合でもスピーカの駆動を維持することができ、これによってより利便性の高い携帯型再生装置を提供することができる。
【００１４】
また、マイクが外部から受ける音声を映像とともに記憶するデジタルビデオカメラであることにより、環境音の音量レベルが閾値以上である場合にスピーカの駆動を禁止して消費電力の低減が可能となり、より利便性の高いデジタルビデオカメラを提供することができる。
【発明を実施するための最良の形態】
【００１５】
図１に本発明の携帯型再生装置であるデジタルビデオカメラの外観を観察した斜視図を示す。図１（ａ）に示すように、デジタルビデオカメラ２の前面からは撮影レンズ４が露呈し、撮影レンズ４の下には板状の記録メディア５を装着するためのカードスロット６が備えられている。カードスロット６の下にはマイクロフォン（マイク）８が備えられており、これによって外部環境の音声を録音することができる。デジタルビデオカメラ２の上部には動画の撮影を開始するための撮影ボタン１０、及び撮影を終了するための停止ボタン１１が設けられている。デジタルビデオカメラ２の側面にはデジタルビデオカメラ２の電源をＯＮ／ＯＦＦ切り替えするための電源スイッチ１３、各種画像を表示する表示パネルである液晶パネル（以降、ＬＣＤと言う）１４、ＬＣＤ１４をＯＮ／ＯＦＦ切り替えするためのＬＣＤ表示ボタン１５、音声を出力するスピーカ１７が備えられている。
【００１６】
図１（ｂ）に示すように、ＬＣＤ１４及びスピーカ１７が備えられた画像表示器２０はビデオカメラ本体２１とヒンジ部（図示省略）を介して接続されている。画像表示器２０はカメラ本体２１に収められる収納位置とカメラ本体２１から立ち上がった立ち上がり位置との間で移動可能であり、画像表示器２０が立ち上がることにより画像表示器２０に隠れていた部分が外部に露呈する。画像表示器２０が立ち上がることによって露呈するカメラ本体２１の側面には、ユーザがスピーカ１７の出力を調節する際に操作される十字ボタン２３、ユーザによって選択されたメニューを実行するための実行ボタン２４、実行を取り消すためのキャンセルボタン２５、被写体を撮影して動画データを取得する撮影モード、取得した動画データをＬＣＤ１４に再生する再生モードとで設定を切り替えるためのモード切り替えスイッチ２６等が備えられている。
【００１７】
図２に本発明の音声出力装置を搭載したデジタルビデオカメラ２のブロック図を示す。デジタルビデオカメラ２には、ＣＣＤイメージセンサ３０、画像信号処理部３２、画像圧縮伸張部３４、メディアコントローラ３６、ＬＣＤコントローラ３８、音声圧縮伸張部４２、ＣＰＵ４３、ＳＤＲＡＭ４５、ＲＯＭ４９、入力インターフェース５０、アンプ５２、アナログ／デジタルコンバータ（以降、Ａ／Ｄコンバータと言う）５３、環境音レベル判定部（環境音レベル判定手段）５４、デジタル／アナログコンバータ（Ｄ／Ａコンバータと言う）６０、音声再生制御部（音声再生制御手段）６１、アンプ６２等が備えられている。
【００１８】
ＣＣＤイメージセンサ３０は、撮影レンズ４が結像する被写体像を受けてアナログ的な画像信号を出力する。画像信号処理部３２には増幅回路、アナログ／デジタル変換回路等が含まれており、画像信号を基にしてデジタルな動画データに変換する。形成された動画データは画像圧縮伸張部３４に入力される。
【００１９】
画像圧縮伸張部３４は、符号化技術を利用して画像信号処理部３２から入力される動画データを圧縮する。例えばＭＰＥＧ（Moving Picture image coding Experts Group ）２規格に従い、動画データを８画素四方のブロック単位で符号化するなどして動画データを圧縮する。圧縮処理された動画データはメディアコントローラ３６に入力される。なお、ＳＤＡＲＭ４５は、画像信号や動画データ、後述する音声信号や音声データを効率よく処理するためのワークエリアとして使用される。なお、動画データの圧縮方式はＭＰＥＧ２に限らず、ＭＰＥＧ４やムービングＪＰＥＧ方式などを採用してもかまわない。
【００２０】
マイクロフォン８には、例えばエレクトレットコンデンサマイクが用いられており、外部環境の音声に応じてアナログな音声信号を出力する。マイクロフォン８から出力された音声信号はアンプ５２に入力される。
【００２１】
マイクロフォン８から入力される音声信号は、アンプ５２で一定の利得で増幅されて環境音レベル判定部５４を介してＡ／Ｄコンバータ５３に入力される。Ａ／Ｄコンバータ５３ではアンプ５２で増幅された音声信号を基にしてＰＣＭ（Pulse Code Modulatin）方式に従った音声データが形成される。
【００２２】
音声圧縮伸張部４２では符号化技術を利用してＡ／Ｄコンバータ５３で形成された音声データを圧縮する。例えば、音声圧縮伸張部４２は音声データがＭＰＥＧ−１オーディオレイヤー２規格に従って圧縮し、圧縮処理された音声データは、メディアコントローラ３６に入力され、動画データとともに１つのファイルに格納される。なお、音声データの圧縮方式はＭＰＥＧ−１オーディオレイヤー２規格に限らず、用途に応じて適宜変更してかまわない。
【００２３】
メディアコントローラ３６では、記録メディア５へのデータの書き込み、及び記録メディア５からのデータの読み出しを制御する。モード切り替えスイッチ２６が動画撮影モードに設定された場合には、メディアコントローラ３６では画像圧縮伸張部３４で形成された動画データと音声圧縮伸張部４２で形成された音声データとを含む画像ファイルが形成され、メディアコントローラ３６で形成された画像ファイルはカードスロット６に装着された記録メディア５に記録される。モード切り替えスイッチ２６が再生モードに設定された場合には、メディアコントローラ３６はユーザの操作によって選択された画像ファイルを記録メディア５から読み出し、画像ファイルに含まれた動画データを画像圧縮伸張部３４に入力し、音声データを音声圧縮伸張部４２に入力する。画像圧縮伸張部３４では動画データを基にＬＣＤ１４を駆動するためのＬＣＤ用画像データが形成され、ＬＣＤ用画像データはＬＣＤコントローラ３８に入力される。音声圧縮伸張部４２では、圧縮処理された音声データが伸張処理され、伸張処理された音声データはＤ／Ａコンバータ６０に入力され、音声信号に変換される。
【００２４】
ＬＣＤコントローラ３８は画像圧縮伸張部３４から入力されるＬＣＤ用画像データに基づいてＬＣＤ１４の駆動を制御しており、モード切り替えスイッチ２６が再生モードにセットされ、かつＬＣＤ表示ボタン１５がＯＮされている場合にはＬＣＤ用画像データを基にＬＣＤ１４を駆動させて、ＬＣＤ１４に動画を表示させる。
【００２５】
音声再生制御部６１はスピーカ１７の駆動を制御する。音声再生制御部６１にはボリューム回路６１ａが含まれており、ボューム回路６１ａは、スピーカ１７の出力を調節するためのボリュームデータに応じて音声信号を増幅する。スピーカ１７の出力は十字ボタン２３を操作することによって手動で調節することができ、例えば、ユーザによって十字ボタン２３が操作されると、操作信号がＣＰＵ４３に入力され、ＣＰＵ４３は操作信号に応じてスピーカ１７の出力を調節するためのボリュームデータをＲＯＭ４９から読み出して音声再生制御部６１に入力し、ボリューム回路６１ａはボリュームデータを基にして音声信号を増幅する。
【００２６】
アンプ６２は、一定の利得で音声信号を増幅してスピーカ１７を駆動させるための駆動電圧信号を形成する。スピーカ１７には、例えば、駆動電圧信号の入力に応じて振動するコイル及びコイルと連動するコーン紙等から構成されるダイナミック型スピーカが用いられており、アンプ６２から入力される駆動電圧信号によってコイル及びコーン紙が振動して外部に音声を出力する。
【００２７】
ＲＯＭ４９には、マイクロフォン８から入力される音声信号を基にして外部環境の音量レベルを測定するための測定プログラムや、スピーカ１７の出力を自動的に調節するためのボリュームデータ等が記憶されている。ボリュームデータは複数から構成されており、それぞれのボリュームデータは予めメーカ側で作成したものであり、それぞれ測定された環境音の音量レベルに対応するように割り振られている。それぞれのボリュームデータがボリューム回路６１ａに入力されると、スピーカ１７は外部環境の中でも快適に聴取が可能なように音声を外部に出力する。
【００２８】
環境音レベル判定部５４は、時間を計時するタイマー部５４ａ、音量レベルが予め定められた閾値以上か否かを判定する比較判定部５４ｂを有し、マイク８から入力される音声信号を基にして外部環境の音量レベルを測定する。外部環境の音量レベルを測定する際は、環境音レベル判定部５４はＲＯＭ４９から読み出された測定プログラムに従って３秒間を平均音量レベルを算出する。測定が開始されると、マイクロフォン８から入力される音声信号の振幅を数値化し、数値化された振幅値を周期内で平均することで平均音量レベルが算出され、算出された平均音量レベルは音量レベルデータとして一時的にＳＤＲＡＭ４５に記録される。例えば、環境音レベル判定部５４は３秒ごとに音量レベルデータを算出し、ＳＤＲＡＭ４５の音量レベルデータは３秒ごとに更新される。なお、上記では３秒間の平均音量レベルを算出したが、平均音量レベルを算出する周期は３秒間に限らず、例えば５秒間等にしてもかまわない。
【００２９】
比較判定部５４ｂは、一時的にＳＤＲＡＭ４５に記憶された音量レベルが予め定められた閾値以上か否かを判定する。閾値は例えば８０デシベルに予め定められており、ＳＤＲＡＭ４５に記憶された音量レベルデータが比較判定部５４ｂに読み出され、音量レベルが８０デシベル以上か否かが判定される。比較判定部５４ｂにおいて音量レベルが８０デシベル以上と判定された場合には、スピーカ１７の駆動を禁止するミュート信号が環境音レベル判定部５４から出力され、ミュート信号を受けたＣＰＵ４３の命令により、ボリューム回路６１ａは音声信号の出力を停止し、スピーカ１７の駆動が禁止される。
【００３０】
比較判定部５４ｂにおいて音量レベルが８０デシベル未満と判定された場合には、環境音レベル判定部５４から音量レベルに応じた音量制御信号が出力される。音量制御信号を受けたＣＰＵ４３によって、音量レベルに応じたボリュームデータがＲＯＭ４９から読み出されて音声再生制御部６１に入力される。ボリューム回路６１ａはボリュームデータを基にして音声信号を増幅し、スピーカ１７は外部環境の音量レベルに応じた音量で音声を出力するように駆動する。例えば、外部環境の音量レベルが６５デシベルである場合には、６５デシベルに応じたボリュームデータがＲＯＭ４９からボリューム回路６１ａに入力され、これによってユーザは６５デシベルの環境下においても音声の聴取が可能となる。なお、上記では閾値は８０デシベルに設定されたが、閾値はこれに限らない。例えば、閾値をより低く設定することで消費電力のさらなる低減が可能となる。
【００３１】
図３に本発明の作用を説明するためのフローチャートを示す。デジタルビデオカメラ２に備えられたモード切り替えスイッチ２６が動画撮影モードに設定され、撮影ボタン１０が押下されると動画データ及び音声データの記録が開始される。動画データ及び音声データは１つの動画ファイルとして記録メディア５に記録される。
【００３２】
モード切り替えスイッチ２６が再生モードに合わせられると、ＬＣＤ１４には記録メディア５に記録された動画ファイルの一覧が示され、ユーザーの操作によって選ばれた動画ファイルが記録メディア５から読み出される。再生モードに設定されると、環境音レベル判定部５４はマイクロフォン８から出力される音声信号を基にして音量レベルの算出を開始する。環境音レベル判定部５４で形成された音量レベルデータはＳＤＲＡＭ４５に一時的に記憶される。比較判定部５４ｂはＳＤＡＲＭ４５に記憶された音量レベルデータを読み出し、音量レベルが閾値である８０デシベル以上か否かを判定する。音声再生制御部６１は比較判定部５４ｂでの判定結果を受けてスピーカ１７の駆動を制御する。音量レベルが閾値以上の場合には、音声再生制御部６１にミュート信号が入力されてスピーカ１７の駆動が禁止される。音量レベルが閾値未満の場合にはスピーカ１７の駆動は許可され、スピーカ１７からは測定された音量レベルに応じた音量で音声が外部に出力される。なお、ＳＤＲＡＭ４５への音量レベルデータの記憶、音量レベルが閾値よりも大きいか否かの判定は３秒ごとに行われ、これにより、外部環境の音量の変化に対応しつつ、再生音声を快適に聴取できるデジタルビデオカメラを提供することができる。
【００３３】
なお、上記の実施形態では本発明の携帯型再生装置として動画の取得が可能なデジタルビデオカメラ２を例示したが、本発明はこれに限らず、動画を再生する動画再生モードを備えたデジタルスチルカメラや、携帯型の画像再生装置に用いてもよい。デジタルスチルカメラや携帯型の画像再生装置などに本発明を実施することで、音声を再生する際の消費電力を低減することが可能となり、これらの電子機器に備えられたバッテリーの消耗を抑えてより利便性を高めることができる。
【００３４】
また、環境音レベル判定部５４に、スピーカ１７から出力された音声がマイクロフォン８によって集音されてマイクロフォン８から出力される音声信号を基に音量レベルが測定されるループゲインを防止するハウリング防止回路を設けてもよい。ハウリング防止回路を設けることで外部環境の音声の音量レベルをより正確に測定することができ、これによってより利便性の高いデジタルビデオカメラを提供することができる。
【図面の簡単な説明】
【００３５】
【図１】本発明の携帯型再生装置であるデジタルビデオカメラの斜視図である。
【図２】デジタルビデオカメラの電気的な構成を概略的に示したブロック図である。
【図３】デジタルビデオカメラの作用について示すフローチャートである。
【符号の説明】
【００３６】
２  デジタルビデオカメラ（携帯型再生装置）
８  マイクロフォン（マイク）
１４  ＬＣＤ（表示パネル）
１７  スピーカ
４３  ＣＰＵ
４９  ＲＯＭ
５２  アンプ
５３  Ａ／Ｄコンバータ
５４  環境音レベル判定部（環境音レベル判定手段）
５４ａ  タイマー部
５４ｂ  比較判定部
６１  音声再生制御部（音声再生制御手段）
６１ａ  ボリューム回路
６２  アンプ
【図１】
2005354202.tif 000003
【図２】
2005354202.tif 000004
【図３】
2005354202.tif 000005